(57)【要約】【課題】  メール便やショッピングバッグ等に使用される袋体の口部分を容易に封緘することのできる封緘テープを提供する。【解決手段】  帯状の中間分離帯４の両側に平行して帯状のシール片２，３が配列されており、前記中間分離帯４とシール片２，３との境界に引張り強度の弱い接合線７が形成され、前記シール片２，３の一方に係合オス体５と、他方に前記係合オス体５を受入れる係合メス体６が形成されており、封緘する袋体Ｂの口部分２０に前記中間分離帯４を、あるいは前記袋体Ｂの両面にシール片２，３をそれぞれ当接した状態で前記オス体５で前記袋体Ｂを貫通させ前記メス体６に嵌入するようになっており、前記シール片２，３を切除することで前記袋体Ｂの口部分２０を開口するようにした。【選択図】  図１
2007195803.tif 000002
【特許請求の範囲】
【請求項１】
帯状の中間分離帯の両側に平行して帯状のシール片が配列されており、前記中間分離帯とシール片との境界が弱い接合線で形成され、前記シール片の一方に係合オス体と、他方に前記係合オス体を受入れる係合メス体が形成されており、封緘する袋体の口部に前記中間分離帯を、あるいは前記袋体の両面にシール片をそれぞれ当接した状態で前記オス体で前記袋体を貫通させ前記メス体に嵌入するようになっており、
前記シール片を切除することで前記袋体の口部を開口するように構成した袋の口を閉止するための封緘テープ。
【請求項２】
前記メス体とオス体の少なくとも一方は、シール片と切断されやすい小断面の連結片によって連結されることを特徴とする請求項１記載の封緘テープ。
【請求項３】
前記中間分離帯は、切断開始部につまみ片が設けられていることを特徴とする請求項１記載の封緘テープ。
【請求項４】
前記中間分離帯が切除された場合においても前記係合オス体と係合メス体との嵌合が解除されない嵌合強度を有することを特徴とする請求項１記載の封緘テープ。
【発明の詳細な説明】
【技術分野】
【０００１】
本発明は、メール便やショッピングバッグ等に使用される袋体の口部分を封緘するのに使用される封緘テープに関する。
【背景技術】
【０００２】
一般的な書類やカタログ等のように比較的薄手の内容物が入れられるメール便等に使用される袋体の口部分を封緘する封緘テープが知られている（例えば、特許文献１。図９〜１０）。
【０００３】
このメール便に使用される袋体と封緘テープは、各種サイズのメール便の袋体に対応するように準備されている。
【０００４】
しかし、メール便を利用する個人客の増加により、個人客自身が用意した袋体や、特に厚みのある内容物を入れた袋体などは規格外のものがあり、これらは従来の袋体に使用した封緘テープを使用して封緘できないという問題がある。
【特許文献１】米国特許第５９２４７９７号
【発明の開示】
【発明が解決しようとする課題】
【０００５】
本発明に係る封緘テープは、前記の問題を解決するために考案されたものであり、様々な大きさのメール便等に使用される封筒等の袋体の口部分を１種類あるいは２種類程度のテープで容易に封緘することのできる封緘テープを提供することを目的とする。
【課題を解決するための手段】
【０００６】
前記目的を達成するための本発明に係る封緘テープは、帯状の中間分離帯の両側に平行して帯状のシール片が配列されており、前記中間分離帯とシール片との境界が弱い接合線で形成され、前記シール片の一方に係合オス体と、他方に前記係合オス体を受入れる係合メス体が形成されており、封緘する袋体の口部に前記中間分離帯を、あるいは前記袋体の両面にシール片をそれぞれ当接した状態で前記オス体で前記袋体を貫通させ前記メス体に嵌入するようになっており、前記シール片を切除することで前記袋体の口部を開口するように構成したことを特徴としている。
【０００７】
更に、前記メス体とオス体の少なくとも一方は、シール片と切断されやすい小断面の連結片によって連結されることを特徴としている。
【０００８】
また、前記中間分離帯は、切断開始部につまみ片が設けられていることを特徴としている。
【０００９】
そして、前記中間分離帯が切除された場合においても前記係合オス体と係合メス体との嵌合が解除されない嵌合強度を有することを特徴としている。
【発明の効果】
【００１０】
本発明に係る封緘テープは、該封緘テープの中間分離帯を袋体の口部分の上縁に、シール片を該袋体の両面に当接した状態で係合オス部が係合メス部に嵌入されて封緘状態となり、さらに、手提げ紐が開口部分に取り付けられたような袋体の口部分を間歇的に封緘することができるので、袋体の口部分の長さや手提げ紐による制約を受けることがない。
【００１１】
そして封緘を解除する際にシール片又は中間分離帯が引き剥がされ易いように形成されているので、袋体Ｂの両面にシール片２，３を残した状態で中間分離帯を引き剥がすように切除して、その後袋体の口部分を開口することや、シール片のみを引き剥がして直ぐに袋体の口部分を開口することもできる。
【発明を実施するための最良の形態】
【００１２】
以下、本発明の実施の形態を図面を参照して説明する。
図１は本発明に係る封緘テープ１の概略図を示している。
【００１３】
図１において１は本発明に係る封緘テープであって、帯状の中間分離帯４の両側に平行して配列された帯状のシール片２，３が形成されており、前記シール片２，３の一方に係合オス体５と、他方に前記係合オス体５を受入れる係合メス体６が形成されており、封緘する袋体Ｂの口部分２０に前記中間分離帯４を、また、前記袋体Ｂの両面にシール片２，３をそれぞれ当接した状態で前記オス体５が前記袋体Ｂに予め開けられた孔を挿通して前記メス体６に嵌入して封緘するようになっている。
【００１４】
そして封緘を解除する際にシール片３又は中間分離帯４は引き剥がされ易いように形成されているので、袋体Ｂの口部分２０の両面にシール片２，３を残した状態でつまみ片４ａを引張りながら中間分離帯４を切除して、その後袋体Ｂの口部分２０を開口する。又は、シール片２，３のみを引き剥がして直ぐに袋体の口部分を開口する。
【００１５】
（封緘テープ）
図１および図２に示す如く、封緘テープ１は、帯状の中間分離帯４の両側に平行して帯状のシール片２，３が配列されており、前記中間分離帯４とシール片２，３との境界に引張り強度の弱い接合線７が形成されている。そして、前記シール片２，３の一方に係合オス体５と、他方に前記係合オス体５を受入れる係合メス体６が形成されており、前記係合オス体５の連結片５ａは他の部分よりも肉薄に形成されると共にその略中央に貫通孔５ｂが設けられている。
【００１６】
また、図２及び図３に示す如く、前記中間分離帯４にスリット４ｂを有するつまみ片４ａが形成され、且つ、つまみ片４ａに形成された略三角形状の孔４ｅと該中間分離帯４に略く字形状の孔８が配列されている。
【００１７】
そして、図４に示す如く、前記シール片２に形成された係合オス体５は、前記シール片３に形成された嵌合用孔６ａより大径の頭部５ｃと前記嵌合用孔６ａより小径の首部５ｄとからなると共に、前記嵌合用孔６ａに拡径可能な係合爪６ｂが形成されている。また、封緘テープ１は合成樹脂により一体的に成形されている。
【００１８】
本発明に係る封緘テープ１による袋体Ｂの口部分２０の封緘操作は、予め前記係合オス体５が貫通することのできる貫通孔Ｈを開けておいた袋体Ｂの口部分２０に前記中間分離帯４を、該袋体Ｂの両面にシール片２，３をそれぞれ当接し、前記貫通孔Ｈに前記係合オス体５を挿通させながら該シール片２，３を押圧して前記係合オス体５と係合メス体６とを嵌合させるだけで行われる。
【００１９】
次に、前記封緘状態にある袋体Ｂの口部分２０を開封する場合は、シール片２，３を袋体Ｂの口部分２０に残した状態で中間分離帯４を引き剥がすように除去し、その後袋体Ｂの口部分２０を開口することができるが、シール片３を直接引き剥がして袋体Ｂの口部分２０を開口することもできる。シール片３を引き剥がす際に前記中間分離帯４に配置された略く字形状の孔８に沿って切断される。
【００２０】
本発明に係る封緘テープ１は、図５に示す如く、中間分離帯４を幅広に形成すると共に、係合オス体４の首部５ｄを延長することもできるので図１に示す封緘テープ１よりも厚みのある商品等を入れられたメール便等に使用される袋体を封緘することもできる。
【００２１】
更に、図６に示す如く、係合オス体５と係合メス体６を複数個設け、かつ、長尺に成形することもできるので、メール便等に使用される封筒等の袋体Ｂの口部分の端から端まで確実に封緘することもできる。
【００２２】
次に、本発明に係る封緘テープ１による手提げ紐２１を有する袋体Ｂの封緘について図７及び図８を参照して説明する。
【００２３】
図７は、例えば、手提げ紐２１を有する紙製やプラスチック製等の袋体Ｂであり、前記手提げ紐２１の取り付けられている箇所を避けるように封緘テープ１によって口部分２０を封緘している。
【００２４】
図８は、複数の封緘テープ１を間歇的に配置して封緘した状態を示しており、袋体Ｂの口部分２０の長さに制約されることなく確実な封緘をすることができる。勿論、手提げ紐２１のない袋体Ｂや口部分２０の長さが短い袋体Ｂに使用することもできる。
【００２５】
前記のように構成したことにより、本発明に係る封緘テープ１は、封緘される袋体Ｂの厚みや長さによる制約を受けることなく確実な封緘が行え、その封緘の操作は簡単であり、中間分離帯４とシール片３との間に設けられたつまみ片４ａを引き剥がしても封緘は解除されないので、例えば、空港等においてみやげ物などを入れられたショッピングバッグの中身を保安検査のために確認されても第三者にその中身を持ち出されないようになっている。
【図面の簡単な説明】
【００２６】
【図１】本発明の実施形態に係る封緘テープの正面図である
【図２】本発明の実施形態に係る封緘テープの側面図である
【図３】本発明の実施形態に係る封緘テープの断面である
【図４】本発明の実施形態に係る封緘テープの係合状態を示す要部拡大断面である
【図５】本発明の他の実施形態に係る封緘テープの正面図である
【図６】本発明の他の実施形態に係る封緘テープの正面図である
【図７】本発明の実施形態に係る封緘テープの使用状態を示す概略図である
【図８】本発明の実施形態に係る封緘テープの使用状態を示す概略図である
【図９】従来の封緘テープを示す概略図である
【図１０】従来の封緘テープを示す概略図である
【符号の説明】
【００２７】
Ｂ      袋体
１      封緘テープ                  ２、３      シール片
４      切断片                        ４ａ      つまみ部
４ｂ      スリット                        ５      係合オス体
５ｃ      頭部                          ５ｄ      首部        
６      係合メス体                    ６ｄ      係合爪
７      接合線
【図１】
2007195803.tif 000003
【図２】
2007195803.tif 000004
【図３】
2007195803.tif 000005
【図４】
2007195803.tif 000006
【図５】
2007195803.tif 000007
【図６】
2007195803.tif 000008
【図７】
2007195803.tif 000009
【図８】
2007195803.tif 000010
【図９】
2007195803.tif 000011
【図１０】
2007195803.tif 000012